(57)【特許請求の範囲】
【請求項１】
出力が可変とされたエンジンと、エンジン回転数変更操作部材と、エンジン回転数変更アクチュエータと、液晶表示部を有する表示装置と、制御装置と、前記エンジンから走行部材へ至る走行系伝動経路に介挿された無段変速装置である主変速装置及び多段式変速装置である副変速装置と、作業機を昇降自在に支持するリンク機構と、前記作業機を昇降させる昇降アクチュエータと、前記副変速装置の変速段を検出する副変速センサと、前記作業機の牽引負荷を検出するドラフトセンサと、前記作業機の昇降高さを検出するリフト角センサとを備え、前記制御装置が前記エンジン回転数変更操作部材への人為操作に応じて前記エンジン回転数変更アクチュエータを作動させるように構成されたトラクタであって、
前記液晶表示部は、車速を表示する車速表示領域と、情報表示領域とを有し、
前記制御装置は、燃料消費率を一定時間毎に読み込むように構成され、平均燃費算出モード起動中に読み込まれた燃料消費率に基づいて平均燃費を算出すると共に、平均燃費算出モードの起動有無に拘わらず、前記副変速装置が所定の低速段係合状態で、前記作業機が所定高さ以下で且つ前記作業機の牽引負荷が所定値以上である際に読み込まれた燃料消費率に基づき作業機牽引時平均燃費を算出し、平均燃費算出モード起動中の前記平均燃費に加えて前記作業機牽引時平均燃費を前記情報表示領域に同時に表示することを特徴とするトラクタ。
【請求項２】
出力が可変とされたエンジンと、エンジン回転数変更操作部材と、エンジン回転数変更アクチュエータと、液晶表示部を有する表示装置と、制御装置と、前記エンジンからＰＴＯ軸へ至る作業機系伝動経路に介挿されたＰＴＯクラッチ装置と、前記ＰＴＯクラッチ装置の係脱状態を検出するＰＴＯクラッチセンサと、作業機の昇降高さを検出するリフト角センサとを備え、前記制御装置が前記エンジン回転数変更操作部材への人為操作に応じて前記エンジン回転数変更アクチュエータを作動させるように構成されたトラクタであって、
前記液晶表示部は、車速を表示する車速表示領域と、前記ＰＴＯ軸の回転数を表示するＰＴＯ回転数表示領域と、情報表示領域とを有し、
前記制御装置は、燃料消費率を一定時間毎に読み込むように構成され、平均燃費算出モード起動中に読み込まれた燃料消費率に基づいて平均燃費を算出すると共に、平均燃費算出モードの起動有無に拘わらず、前記ＰＴＯクラッチ装置が係合状態で且つ前記リフト角センサの検出信号に基づき前記作業機が所定高さ以下の際に読み込まれた燃料消費率に基づきＰＴＯ作業時平均燃費を算出し、平均燃費算出モード起動中の前記平均燃費に加えて前記ＰＴＯ作業時平均燃費を前記情報表示領域に同時に表示することを特徴とするトラクタ。
【請求項３】
前記制御装置は、平均燃費算出モード起動中に読み込まれた燃料消費率の合算値又は前記平均燃費の少なくとも一方と読み込み回数とを燃費情報として前記トラクタが主電源オフ状態とされても失われず且つ書き換え可能とされた記憶領域に記憶し、前記燃費情報と新たに読み込まれた燃料消費率とに基づき平均燃費を更新すると共に、所定のリセット操作に応じて前記記憶領域に記憶された燃費情報をリセットすることを特徴とする請求項１又は２に記載のトラクタ。
【請求項４】
前記制御装置は、表示切換操作部材への第１操作方法での操作を平均燃費算出モード起動中の前記平均燃費の前記情報表示領域への表示のオン・オフを切り換える為の人為操作と判断し、前記表示切換操作部材への第２操作方法での操作を前記リセット操作と判断することを特徴とする請求項３に記載のトラクタ。
【発明の詳細な説明】
【技術分野】
【０００１】
本発明は、操縦者に対して情報を表示する表示装置を備えたトラクタに関する。
【背景技術】
【０００２】
トラクタにおいて、単位時間当たりの燃料消費量や単位燃料当たりの走行距離を算出し、これらの値を表示装置に表示させること、所定燃費とその時点での燃費とを比較して、燃費優劣を表示装置に表示させることが提案されている（例えば下記特許文献１参照）。
【０００３】
前記特許文献１に記載の構成は、操縦者による燃費情報の認識を促進できる点において有用であるが、下記点において改善の余地がある。
【０００４】
即ち、トラクタは、路上走行等の非作業走行状態及び作業機による作業を行いつつ走行を行う作業走行状態を有している。さらに、前記作業走行状態には、使用される作業機毎に異なる走行状態が存在する。従って、燃費情報についてもこれらの異なる走行状態毎に区別して操縦者に告知することが望ましい。
【０００５】
この点に関し、前記特許文献１には、トラクタの場合には、使用している変速段によって道路走行中又は作業機を用いた作業中を認識することができるので、それぞれに適した表示モードでの燃費情報の表示を行える旨の記載がなされているが、使用している変速段によって道路走行状態及び作業走行状態を区分けすると、路上での登板走行時等において、非作業時ではあるが低速段で走行した場合には、この走行状態での燃費情報が作業走行状態での燃費情報としてカウントされてしまう。
【先行技術文献】
【特許文献】
【０００６】
【特許文献１】特許第５４０６７３５号公報
【発明の概要】
【発明が解決しようとする課題】
【０００７】
本発明は、斯かる従来技術に鑑みなされたものであり、操縦者が知りたい走行状態の燃費情報を正確に提供し得る構造簡単なトラクタの提供を目的とする。
【課題を解決するための手段】
【０００８】
本発明は、前記目的を達成するために、出力が可変とされたエンジンと、エンジン回転数変更操作部材と、エンジン回転数変更アクチュエータと、液晶表示部を有する表示装置と、制御装置と、前記エンジンから走行部材へ至る走行系伝動経路に介挿された無段変速装置である主変速装置及び多段式変速装置である副変速装置と、作業機を昇降自在に支持するリンク機構と、前記作業機を昇降させる昇降アクチュエータと、前記副変速装置の変速段を検出する副変速センサと、前記作業機の牽引負荷を検出するドラフトセンサと、前記作業機の昇降高さを検出するリフト角センサとを備え、前記制御装置が前記エンジン回転数変更操作部材への人為操作に応じて前記エンジン回転数変更アクチュエータを作動させるように構成されたトラクタであって、前記液晶表示部は、車速を表示する車速表示領域と、情報表示領域とを有し、前記制御装置は、燃料消費率を一定時間毎に読み込むように構成され、平均燃費算出モード起動中に読み込まれた燃料消費率に基づいて平均燃費を算出すると共に、平均燃費算出モードの起動有無に拘わらず、前記副変速装置が所定の低速段係合状態で、前記作業機が所定高さ以下で且つ前記作業機の牽引負荷が所定値以上である際に読み込まれた燃料消費率に基づき作業機牽引時平均燃費を算出し、平均燃費算出モード起動中の前記平均燃費に加えて前記作業機牽引時平均燃費を前記情報表示領域に同時に表示するように構成されたトラクタを提供する。
【０００９】
また、本発明は、前記目的を達成するために、出力が可変とされたエンジンと、エンジン回転数変更操作部材と、エンジン回転数変更アクチュエータと、液晶表示部を有する表示装置と、制御装置と、前記エンジンからＰＴＯ軸へ至る作業機系伝動経路に介挿されたＰＴＯクラッチ装置と、前記ＰＴＯクラッチ装置の係脱状態を検出するＰＴＯクラッチセンサと、作業機の昇降高さを検出するリフト角センサとを備え、前記制御装置が前記エンジン回転数変更操作部材への人為操作に応じて前記エンジン回転数変更アクチュエータを作動させるように構成されたトラクタであって、前記液晶表示部は、車速を表示する車速表示領域と、前記ＰＴＯ軸の回転数を表示するＰＴＯ回転数表示領域と、情報表示領域とを有し、前記制御装置は、燃料消費率を一定時間毎に読み込むように構成され、平均燃費算出モード起動中に読み込まれた燃料消費率に基づいて平均燃費を算出すると共に、平均燃費算出モードの起動有無に拘わらず、前記ＰＴＯクラッチ装置が係合状態で且つ前記リフト角センサの検出信号に基づき前記作業機が所定高さ以下の際に読み込まれた燃料消費率に基づきＰＴＯ作業時平均燃費を算出し、平均燃費算出モード起動中の前記平均燃費に加えて前記ＰＴＯ作業時平均燃費を前記情報表示領域に同時に表示するように構成されたトラクタを提供する。
【００１０】
好ましくは、前記制御装置は、平均燃費算出モード起動中に読み込まれた燃料消費率の合算値又は前記平均燃費の少なくとも一方と読み込み回数とを燃費情報として前記トラクタが主電源オフ状態とされても失われず且つ書き換え可能とされた記憶領域に記憶し、前記燃費情報と新たに読み込まれた燃料消費率とに基づき平均燃費を更新すると共に、所定のリセット操作に応じて前記記憶領域に記憶された燃費情報をリセットするものとされる。
【００１１】
好ましくは、前記制御装置は、表示切換操作部材への第１操作方法での操作を平均燃費算出モード起動中の前記平均燃費の前記情報表示領域への表示のオン・オフを切り換える為の人為操作と判断し、前記表示切換操作部材への第２操作方法での操作を前記リセット操作と判断するように構成される。
【発明の効果】
【００１２】
本発明の一態様に係るトラクタによれば、制御装置が、平均燃費算出モード起動中に読み込まれた燃料消費率に基づいて平均燃費を算出し、且つ、平均燃費算出モードの起動有無に拘わらず、副変速装置が所定の低速段係合状態で、作業機が所定高さ以下で且つ前記作業機の牽引負荷が所定値以上である際に読み込まれた燃料消費率に基づき作業機牽引時平均燃費を算出し、平均燃費算出モード起動中の前記平均燃費及び前記作業機牽引時平均燃費を液晶表示部に表示するように構成されているので、操縦者は、作業機牽引作業時の平均燃費と共に、平均燃費を知りたい走行状態に合わせて平均燃費算出モードを起動させることにより、前記走行状態の正確な燃費情報を知ることができる。
【００１３】
本発明の他態様に係るトラクタによれば、制御装置が、平均燃費算出モード起動中に読み込まれた燃料消費率に基づいて平均燃費を算出し、且つ、平均燃費算出モードの起動有無に拘わらず、ＰＴＯクラッチ装置が係合状態で且つリフト角センサの検出信号に基づき作業機が所定高さ以下の際に読み込まれた燃料消費率に基づきＰＴＯ作業時平均燃費を算出し、平均燃費算出モード起動中の前記平均燃費及び前記ＰＴＯ作業時平均燃費を液晶表示部に表示するように構成されているので、操縦者は、ＰＴＯ作業時の平均燃費と共に、平均燃費を知りたい走行状態に合わせて平均燃費算出モードを起動させることにより、前記走行状態の正確な燃費情報を知ることができる。
【図面の簡単な説明】
【００１４】
【図１】図１は、本発明の一実施の形態に係るトラクタの斜視図である。
【図２】図２は、前記トラクタの背面図である。
【図３】図３は、前記トラクタの平面図である。
【図４】図４は、前記トラクタの伝動模式図である。
【図５】図５は、前記トラクタにおける制御ブロック図である。
【図６】図６は、前記トラクタにおけるサブディスプレイの模式図である。
【図７】図７は、前記トラクタに備えられた燃料情報表示機能の制御フロー図である。
【発明を実施するための形態】
【００１５】
以下、本発明に係るトラクタの好ましい実施の形態について、添付図面を参照しつつ説明する。
図１〜図４に、それぞれ、本実施の形態に係るトラクタ１の斜視図、背面図、平面図及び伝動模式図を示す。
【００１６】
図１〜図４に示すように、前記トラクタ１は、車輌フレーム１０と、前記車輌フレーム１０に支持された運転席１５と、前記車輌フレーム１０に支持されたエンジン５０と、左右一対の前輪２０Ｆと、左右一対の後輪２０Ｒと、前記エンジン５０からの回転動力を駆動輪に伝達する走行系伝動構造６０と、外部に向けて回転動力を出力するＰＴＯ軸９５と、前記エンジン５０からの回転動力を前記ＰＴＯ軸９５に伝達するＰＴＯ系伝動構造８０と、制御装置１００と、前記エンジン５０に燃料を噴射する燃料噴射装置４０（下記図５参照）とを有している。
【００１７】
図５に、前記制御装置１００のブロック図を示す。
図５に示すように、本実施の形態においては、前記制御装置１００は、本機コントローラ１０１、エンジンコントローラ１０２及びメータコントローラ１０３等の複数のコントローラを有している。
【００１８】
前記複数のコントローラ１０１、１０２、１０３には、それぞれ、対応する前記センサ及び前記アクチュエータが電気的に接続されており、前記複数のコントローラ１０１、１０２、１０３はＣＡＮ通信バス１０５を介して互いに電気的に接続されている。
【００１９】
前記各コントローラ１０１、１０２、１０３は、前記各種センサ等から入力される信号に基づいて演算処理を実行する制御演算手段を含む演算部（以下ＣＰＵという）と、制御プログラムや制御データ等を記憶するＲＯＭ，設定値等を電源を切っても失われない状態で保存し且つ前記設定値等が書き換え可能とされたＥＥＰＲＯＭ及び前記演算部による演算中に生成されるデータを一時的に保持するＲＡＭ等を含む記憶部とを備えている。
【００２０】
前記制御装置１００は、前記エンジン５０の出力制御として、エンジン回転数が、人為操作されるエンジン回転数変更操作部材１１０による設定回転数となるように、エンジン回転数変更アクチュエータを作動させる通常制御を実行するように構成されている。
【００２１】
詳しくは、図３及び図５に示すように、前記トラクタ１は、アクセルペダル１１１及びアクセルレバー１１２等の前記エンジン回転数変更操作部材１１０と、前記エンジン回転数変更操作部材１１０の操作位置を検出する操作側エンジン回転数センサ１１０ａと、前記エンジン回転数変更アクチュエータとして作用する燃料噴射装置４０と、エンジン回転数を検出する作動側エンジン回転数センサ５０ａとを有している。
【００２２】
図５に示すように、本実施の形態においては、前記燃料噴射装置４０は、燃料タンク４１からフィルタ（図示せず）を介して燃料を吸い込む燃料供給ポンプ４２と、前記燃料供給ポンプ４２から圧送される燃料を蓄圧状態で貯留するコモンレール４５と、前記コモンレール４５内の蓄圧燃料を前記エンジン５０の各気筒に噴射する複数のインジェクタ４６とを有している。
なお、図５中の符号４５ａは前記コモンレール４５の内圧を検出する圧力センサである。
【００２３】
前記制御装置１００は、前記通常制御においては、前記操作側エンジン回転数センサ１１０ａによって検出される設定回転数をエンジン回転数の目標回転数として用いて、前記インジェクタ４６を作動させる。
【００２４】
具体的には、前記制御装置１００には、ＲＯＭ等の記憶部に、予め、エンジン回転数とインジェクタ制御量（燃料噴射量）との関係を示す制御データが記憶されており、前記制御装置１００は前記制御データを用いて、前記インジェクタ４６の作動制御を行う。
【００２５】
即ち、前記制御装置１００は、アクセルレバー等のエンジン回転数変更操作部材１１０の操作位置をアクセルセンサ１１０ａから入力して目標エンジン回転数を認識し、前記制御データを用いて算出される前記目標エンジン回転数に応じた燃料噴射量を噴射するように前記インジェクタ４６を作動させ、エンジン回転数センサ５０ａによって検出される実エンジン回転数が前記目標エンジン回転数に一致しているか否かを判断し、両者が一致するように前記インジェクタ４６の作動制御を行う。
【００２６】
本実施の形態に係る前記トラクタ１は、前記エンジン５０の回転数上限値を任意に設定し得るように構成されている。
【００２７】
詳しくは、図５に示すように、前記トラクタ１にはエンジン回転数上限設定部材５１０が備えられている。
前記制御装置１００は、前記エンジン回転数変更操作部材１１０を最大操作した際の目標エンジン回転数が前記エンジン回転数上限設定部材５１０によって設定されるエンジン回転数上限値に制限された状態で、前記エンジン回転数が前記エンジン回転数変更操作部材１１０の操作位置に応じた回転数となるように、前記燃料噴射装置４０の作動制御を行うように構成されている。
なお、図５中の符号５１０ａは前記エンジン回転数上限設定部材５１０の操作位置を検出するセンサである。
【００２８】
このように、エンジン回転数上限設定機能を備えることにより、前記エンジン回転数変更操作部材１１０に対する誤操作によって、前記エンジン５０から作動的に回転動力が伝達される耕耘装置や植付装置等の作業機に意図しない高回転数の動力が入力されてトラブルが生じることを有効に防止することができる。
【００２９】
図４に示すように、本実施の形態においては、前記走行系伝動構造６０は、主変速装置として作用する油圧式無段変速装置（ＨＳＴ）６１を有している。
【００３０】
前記ＨＳＴ６１は、図４に示すように、メインクラッチ５１を介して入力される前記エンジン５０からの回転動力を無段変速するように構成されている。
なお、図５中の符号５２及び５３は、前記メインクラッチ５１を介して入力される前記エンジン５０からの回転動力によって駆動されるチャージポンプ及び補助ポンプである。
【００３１】
本実施の形態においては、前記ＨＳＴ６１は、前記制御装置１００によって作動制御される主変速アクチュエータ２２０を介して変速動作するように構成されている。
【００３２】
詳しくは、図５に示すように、前記トラクタ１においては、作動側変速センサ（車速センサ）６１ａによって検出される前記ＨＳＴ６１の出力回転速度が主変速レバー等の主変速操作部材１２０への人為操作に応じた速度となるように、前記制御装置１００が前記主変速アクチュエータ２２０の作動制御を行うようになっている。
【００３３】
なお、図５中の符号１２０ａは、前記主変速操作部材１２０の操作位置（操作方向及び／又は操作量）を検出する操作側変速センサである。
【００３４】
又、本実施の形態に係る前記トラクタ１は、前記主変速操作部材１２０を最大操作した際の前記ＨＳＴ６１の出力回転速度の上限値（最高速値）を任意に設定し得るように構成されている。
【００３５】
詳しくは、図５に示すように、前記トラクタ１には最高速設定部材５１５が備えられている。
前記制御装置１００は、前記主変速操作部材１２０を最大操作した際の前記ＨＳＴ６１の最高出力回転速度が前記最高速設定部材５１５によって設定された回転速度に制限された状態で、前記主変速操作部材１２０の操作位置に応じて前記ＨＳＴ６１の出力回転速度が変更されるように前記主変速アクチュエータ２２０の作動制御を行う。
なお、図５中の符号５１５ａは、前記最高速設定部材５１５の操作位置を検出するセンサである。
【００３６】
前記最高速設定部材５１５は前記エンジン回転数上限設定部材５１０と別体とすることも可能であるし、両部材５１０、５１５を共通操作部材によって構成することも可能である。
【００３７】
即ち、前記最高速設定部材５１５及び前記エンジン回転数上限設定部材５１０を共通部材によって構成する場合には、前記エンジン回転数上限設定部材５１０及び前記最高速設定部材５１５の双方として作用するエンジン回転・車速切換スイッチ（図示せず）及びエンジン回転・車速設定ダイヤル（図示せず）が備えられている。
【００３８】
前記エンジン回転・車速切換スイッチは、エンジン回転数上限設定フェイズ及び最高速設定フェイズを切り換える為の部材である。
【００３９】
詳しくは、前記エンジン回転・車速切換スイッチは、エンジン側及び車速側に切り換え可能とされており、前記制御装置１００は、前記エンジン回転・車速切換スイッチの操作位置に応じて、操縦者がエンジン回転数上限値を登録したいのか、又は、最高速値を登録したいのかを認識する。
【００４０】
そして、前記制御装置１００は、前記エンジン回転・車速設定ダイヤルによって設定された値を、前記エンジン回転・車速切換スイッチによって選択された側（即ち、エンジン出力の回転速度又はＨＳＴ出力の回転速度）の上限値として登録する。
【００４１】
本実施の形態においては、前記制御装置１００は、前記エンジン回転数上限設定部材５１０によって設定されるエンジン回転数上限値及び前記最高速設定部材５１５によって設定される最高速度値の組み合わせによって画される走行モードを複数個、記憶し、人為操作による指令を受けて複数の走行モードのうちの何れか一の走行モードを起動させ得るように構成されている。
【００４２】
即ち、図５に示すように、前記トラクタ１には、人為操作可能な走行モード切換操作部材５２０が備えられている。
前記走行モード切換操作部材５２０は、前記複数の走行モード（例えば、Ａモード及びＢモードの２種類の走行モード）の切り換えを行えるように構成されている。
【００４３】
即ち、前記走行モード切換操作部材５２０は、人為操作に応じて、前記複数の走行モードのそれぞれに対応した走行モード位置（例えば、Ａモード位置又はＢモード位置）を選択的にとり得るようになっている。
【００４４】
前記制御装置１００は、前記走行モード切換操作部材５２０が一の走行モード位置（前記例においては、Ａモード位置又はＢモード位置）に位置された状態で前記エンジン回転数上限設定部材５１０及び前記最高速設定部材５１５が操作されると、その操作によって設定された値を当該一の走行モードにおけるエンジン回転数上限値及び最高速値として記憶する。
【００４５】
前記エンジン回転数上限値及び前記最高速値は、例えば、電源を切っても失われず且つ書き換え可能とされたＥＥＰＲＯＭに記憶され得る。
なお、前記走行モード切換操作部材５２０の操作位置はセンサ５２０ａ（図５参照）によって検出される。
【００４６】
このように複数の走行モードが記憶されている状態において、前記制御装置１００は、前記走行モード切換操作部材５２０の操作位置に対応した走行モードを起動する。
【００４７】
なお、前記走行モード切換操作部材５２０が、前記複数の走行モード位置に加えて、走行モード解除位置をとり得るように構成し、前記走行モード切換操作部材５２０が走行モード解除位置に位置されると、前記制御装置１００が、前記複数の走行モードの解除状態を現出させるように構成することも可能である。
【００４８】
図４に示すように、本実施の形態においては、前記走行系伝動構造６０は、前後進切換装置６２を有している。
前記前後進切換装置６２は、前記ＨＳＴ６１から作動的に伝達される回転動力の回転方向を切り替えて出力するように構成されている。
【００４９】
詳しくは、前記前後進切換装置６２は、前記ＨＳＴ６１からの回転動力を正転方向（前進方向）の回転動力として前記駆動輪へ向けて出力する前進状態、前記ＨＳＴ６１からの回転動力を逆転方向（後進方向）の回転動力として前記駆動輪へ向けて出力する後進状態、及び、前記ＨＳＴ６１から前記駆動輪への動力伝達を遮断する中立状態を選択的にとり得るように構成されている。
【００５０】
前記前後進切換装置６２は、人為操作可能なF/Rレバー等の前後進切換操作部材１３０への人為操作に応じて、前進状態又は後進状態をとり、人為操作可能な主クラッチ操作部材１３５のクラッチ切り操作に応じて、中立状態（動力遮断状態）をとるようになっている。
【００５１】
本実施の形態においては、前記前後進切換装置６２は、前後進切換アクチュエータ２３０によって出力状態の切り換えが行われるようになっている。
【００５２】
詳しくは、図５に示すように、前記トラクタ１においては、前記前後進切換装置６２の出力状態が前記前後進切換操作部材１３０及び前記主クラッチ操作部材１３５への人為操作に応じて変更されるように、前記制御装置１００が前記前後進切換アクチュエータ２３０の作動制御を行うようになっている。
【００５３】
なお、図５中の符号１３０ａ及び１３５ａは前記前後進切換操作部材１３０及び前記主クラッチ操作部材１３５の操作位置をそれぞれ検出する操作側前後進センサ及び操作側主クラッチセンサであり、符号６２ａは前記前後進切換装置６２の作動状態を検出する前後進センサである。
【００５４】
図４に示すように、本実施の形態においては、前記走行系伝動構造６０は、副変速装置として作用するギヤ式多段変速装置６３を有している。
【００５５】
前記ギヤ式多段変速装置６３は、前記前後進切換装置６２の伝動方向後流側に配設されており、前記前後進切換装置６２を介して入力される回転動力を多段変速して、走行系出力軸６５に伝達する。
【００５６】
前記多段変速装置６３は、副変速操作部材１４０（図５参照）によって選択された変速段を係合させるように構成されている。
図４に示すように、本実施の形態においては、前記多段変速装置６３は、高速段及び低速段の２段の変速段を有している。
【００５７】
本実施の形態においては、前記多段変速装置６３は、副変速アクチュエータ２４０（図５参照）によって変速状態の切り換えが行われるようになっている。
【００５８】
詳しくは、図５に示すように、前記トラクタ１においては、前記多段変速装置６３の変速段が前記副変速操作部材１４０への人為操作に応じて変更されるように、前記制御装置１００が前記副変速アクチュエータ２４０の作動制御を行うようになっている。
【００５９】
なお、図５中の符号１４０ａは前記副変速操作部材１４０の操作位置を検出する操作側副変速センサであり、符号６３ａは前記多段変速装置６３の変速状態を検出する副変速センサである。
【００６０】
本実施の形態においては、前記一対の後輪２０Ｒがメイン駆動輪とされ、且つ、前記一対の前輪２０Ｆが操舵輪且つサブ駆動輪とされている。
【００６１】
即ち、図４及び図５に示すように、前記トラクタ１には、人為操作されるステアリングホイール等の旋回操作部材１１５と、前記旋回操作部材１１５の操作位置を検出する操作側旋回センサ１１５ａと、前記操舵輪（本実施の形態においては前輪２０Ｆ）を操舵するパワーステアリング装置等の旋回アクチュエータ２１５と、車輌旋回角度を検出する作動側旋回センサ９０ａとが備えられている。
【００６２】
そして、前記制御装置１００は、前記作動側旋回センサ９０ａによって検出される車輌旋回角が前記操作側旋回センサ１１５ａによって検出される前記旋回操作部材１１５の操作角となるように、前記旋回アクチュエータ２１５の作動制御を行う。
【００６３】
又、本実施の形態においては、図４に示すように、前記走行系伝動構造６０は、さらに、前記走行系出力軸６５の回転動力を主駆動輪として作用する前記一対の後輪２０Ｒに差動伝達する主駆動輪側デファレンシャルギヤ装置６６と、前記走行系出力軸６５の回転動力を入力するサブ駆動輪駆動装置７０と、前記サブ駆動輪駆動装置７０からの回転動力をサブ駆動輪として作用する前記一対の前輪２０Ｆに差動伝達するサブ駆動輪側デファレンシャルギヤ装置７１と、前記左右一対のメイン駆動輪にそれぞれ制動力を付加し得る左右一対のブレーキ装置７５Ｌ、７５Ｒとが備えられている。なお、図４においては、左側ブレーキ装置７５Ｌのみ図示している。
【００６４】
前記サブ駆動輪駆動装置７０は、サブ駆動輪駆動切換操作部材１４５への人為操作に応じて、前記サブ駆動輪（本実施の形態においては前記前輪２０Ｆ）が前記メイン駆動輪（本実施の形態においては後輪２０Ｒ）と、常時、等速駆動されるように前記走行系出力軸６５の回転動力を前記サブ駆動輪へ向けて出力する４駆等速状態と、旋回角センサ９０ａ（図５参照）によって検出される旋回角が所定角以下の場合には前記サブ駆動輪が前記メイン駆動輪と等速で駆動され且つ前記旋回角が所定角を超えた場合には前記サブ駆動輪が前記メイン駆動輪より高速（例えば約２倍速）で駆動されるように前記走行系出力軸６５の回転動力を前記サブ駆動輪へ向けて出力する４駆旋回時増速状態と、前記サブ駆動輪を駆動しない２駆状態とを選択的にとり得るように構成されている。
【００６５】
本実施の形態においては、前記サブ駆動輪駆動装置７０は、サブ駆動輪駆動切換アクチュエータ２４５を介して伝動状態の切り換えが行われるようになっている。
【００６６】
詳しくは、図５に示すように、前記トラクタ１においては、前記サブ駆動輪駆動装置７０がサブ駆動輪駆動切換操作部材１４５への人為操作に応じた伝動状態となるように、前記制御装置１００が前記サブ駆動輪駆動切換アクチュエータ２４５の作動制御を行うようになっている。
【００６７】
なお、図５中の符号１４５ａは、前記サブ駆動輪駆動切換操作部材１４５の操作位置を検出するサブ駆動輪駆動切換センサであり、符号７０ａは前記サブ駆動輪駆動装置７０の伝動状態を検出するサブ駆動輪センサである。
【００６８】
前記一対のブレーキ装置７５Ｌ、７５Ｒは、人為操作される一対のブレーキ操作部材１５０Ｌ、１５０Ｒへの人為操作に応じて、個別に、ブレーキ作動状態及びブレーキ解除状態をとり得るようになっている。
【００６９】
本実施の形態においては、前記一対のブレーキ装置７５Ｌ、７５Ｒは、それぞれ、一対のブレーキアクチュエータ２５０Ｌ、２５０Ｒを介して、ブレーキ作動状態及びブレーキ解除状態の切り換えが行われるようになっている。
【００７０】
詳しくは、前記制御装置１００は、前記一対のブレーキ装置７５Ｌ、７５Ｒが前記一対のブレーキ操作部材１５０Ｌ、１５０Ｒへの人為操作に応じたブレーキ作動状態又はブレーキ解除状態となるように、前記一対のブレーキアクチュエータ２５０Ｌ、２５０Ｒの作動制御を行うようになっている。
【００７１】
なお、図５中の符号１５０Ｌａ、１５０Ｒａは前記一対のブレーキ操作部材１５０Ｌ、１５０Ｒの操作状態を検出するセンサであり、符号７５Ｌａ、７５Ｒａは前記一対のブレーキ装置７５Ｌ、７５Ｒの作動状態を検出するセンサである。
【００７２】
次にＰＴＯ伝動構造８０について説明する。
図４に示すように、本実施の形態においては、前記ＰＴＯ系伝動構造８０は、ＰＴＯクラッチ装置８１と、ＰＴＯ変速装置８２とを有している。
【００７３】
前記ＰＴＯクラッチ装置８１は、前記メインクラッチ５１を介して入力される前記エンジン５０からの回転動力を選択的に伝達又は遮断するように構成されている。
前記ＰＴＯ変速装置８２は、前記ＰＴＯクラッチ装置８１を介して入力される前記エンジン５０からの回転動力を変速して、前記ＰＴＯ軸９５へ向けて出力するように構成されている。
【００７４】
即ち、前記制御装置１００は、図５に示すように、人為操作されるＰＴＯ入切操作部材１６０への人為操作に応じて前記ＰＴＯクラッチ装置８１が伝動状態及び遮断状態となるように、ＰＴＯクラッチアクチュエータ２６０の作動制御を行うようになっている。
【００７５】
なお、図５中の符号１６０ａは前記ＰＴＯ入切操作部材１６０の操作位置を検出するセンサであり、符号８１ａは前記ＰＴＯクラッチ装置８１の作動状態を検出するＰＴＯクラッチセンサである。
【００７６】
また、前記制御装置１００は、図５に示すように、人為操作されるＰＴＯ変速操作部材１６５への人為操作に応じて前記ＰＴＯ変速装置８２が変速動作するように、ＰＴＯ変速アクチュエータ２６５の作動制御を行うようになっている。
【００７７】
詳しくは、前記ＰＴＯ変速装置８２は、多段式とされており、複数の変速段の何れかの変速段が選択的に係合され得るようになっている。
【００７８】
本実施の形態においては、図４に示すように、前記ＰＴＯ変速装置８２は、正転側第１変速段〜第４変速段用のギヤ列８２（１）〜８２（４）と、逆転側変速段用のギヤ列８２（Ｒ）とを有しており、前記ＰＴＯアクチュエータ２６５によって何れかのギヤ列が選択的に動力伝達状態になるように構成されている。
【００７９】
前記ＰＴＯ変速装置８２の作動状態（変速段）は、前記ＰＴＯ変速装置８２又は前記ＰＴＯアクチュエータ２６５の作動状態を検出する作動側ＰＴＯ変速センサ８２ａ（図５参照）によって検出される。
【００８０】
前記ＰＴＯ変速操作部材１６５は、人為操作に応じて、前記ＰＴＯ変速装置２６５の変速段（本実施の形態においては、正転側第１〜第４変速段及び逆転側変速段）に対応した操作位置を取り得るように構成されている。
前記ＰＴＯ変速操作部材１６５の操作位置は、操作側ＰＴＯ変速センサ１６５ａ（図５参照）によって検出される。
【００８１】
さらに、本実施の形態に係る前記トラクタ１には、前記ＰＴＯ軸９５の実回転数を検出するＰＴＯ回転センサ９５ａ（図５参照）が備えられている。
【００８２】
本実施の形態に係る前記トラクタ１は、前記ＰＴＯ軸９５を介して前記エンジン５０からの回転動力を伝達し得る状態でリンク機構３８０を介してロータリー耕耘装置等の作業機を昇降可能且つ左右方向傾動可能に付設可能となっている。
図２及び図３に示すように、前記リンク機構３８０は、例えば、トップリンク３８１及び左右一対のロワーリンク３８２を有し得る。
【００８３】
前記トラクタ１は、前記作業機２００を昇降させることができるようになっている。
前記トラクタ１には、図５に示すように、前記作業機２００を昇降させる昇降アクチュエータ２７０が備えられている。
そして、前記制御装置１００は、人為操作信号に基づいて、前記昇降アクチュエータ２７０の作動制御を行う。
【００８４】
詳しくは、前記トラクタ１には、昇降操作部材１７０として、手動昇降操作部材１７１とワンタッチ昇降操作部材１７２と上昇位置設定部材１７３と昇降微調整操作部材１７４とが備えられている。
【００８５】
前記手動昇降操作部材１７１が操作されると、前記制御装置１００は、前記作業機２００が前記手動昇降操作部材１７１の操作位置に応じた高さに位置するように前記昇降アクチュエータ２７０を作動させる。
なお、図５中の符号１７１ａは、前記手動昇降操作部材１７１の操作位置を検出するセンサであり、符号２０１ａは、前記作業機２００の昇降位置を検出するリフト角センサである。
【００８６】
前記ワンタッチ昇降操作部材１７２が上昇操作されると、前記制御装置１００は、前記作業機２００が前記上昇位置設定部材１７３によって設定されている高さまで上昇するように前記昇降アクチュエータ２７０を作動させる。
【００８７】
なお、図５中の符号１７２ａは、前記ワンタッチ昇降操作部材１７２の操作状態を検出するセンサであり、符号１７３ａは前記上昇位置設定部材１７３による設定位置を検出するセンサである。
【００８８】
前記ワンタッチ昇降操作部材１７２が下降操作されると、前記制御装置１００は、前記作業機２００が前記手動昇降操作部材１７１の操作位置によって画される下降位置まで下降するように前記昇降アクチュエータ２７０を作動させる。
即ち、本実施の形態においては、前記手動昇降操作部材１７１が下降位置設定部材としても作用するようになっている。
【００８９】
前記昇降微調整操作部材１７４は、上げ操作及び下げ操作可能とされている。
詳しくは、前記昇降微調整操作部材１７４は、上げ方向への押圧操作中には上げ位置をとり、上げ方向への押圧操作が解除されると自動的に中立位置へ復帰し、且つ、下げ方向への押圧操作中には下げ位置をとり、下げ方向への押圧操作が解除されると自動的に中立位置へ復帰するように構成されている。
【００９０】
前記制御装置１００は、前記昇降微調整操作部材１７４が上げ操作及び下げ操作されている間は、所定速度で前記作業機２００がそれぞれ上昇及び下降するように前記昇降アクチュエータ２７０を作動させ、上げ操作及び下げ操作が解除されて前記昇降微調整操作部材１７４が中立位置へ復帰すると前記作業機２００の昇降を停止させる。
なお、図５中の符号１７４ａは、前記昇降微調整操作部材１７４の操作位置を検出するセンサである。
【００９１】
さらに、本実施の形態に係る前記トラクタ１は、前記作業機２００としてロータリー耕耘装置が用いられる場合等に利用される耕深自動モードを有している。
前記耕深自動モードは、耕深センサ２０３ａによって検出される前記作業機２００の耕深位置が耕深設定ダイヤル１７６で設定された設定位置となるように、前記昇降用アクチュエータ２７０の作動制御を行う制御モードである。
【００９２】
前記耕深自動モードは、入切操作可能な耕深自動スイッチ１７５（図５参照）への人為操作に応じて、前記制御装置１００によって起動状態及び解除状態が切り換えられる。
図５中の符号１７５ａは、前記耕深自動スイッチ１７５の操作状態を検出するセンサであり、符号１７６ａは、前記耕深設定ダイヤル１７６の操作状態を検出するセンサである。
【００９３】
さらに、前記トラクタ１は、前記作業機を左右方向に傾動させ得るようになっている。
前記トラクタ１には、図５に示すように、前記作業機２００の左右方向の傾きを変更させる傾動アクチュエータ２８０が備えられている。
そして、前記制御装置１００は、人為操作信号に基づいて、前記傾動アクチュエータ２８０の作動制御を行う。
【００９４】
詳しくは、図５に示すように、前記トラクタ１には傾動操作部材１８０が備えられており、前記傾動操作部材１８０への人為操作に応じて前記作業機２００が左右方向に傾動されるように、前記制御装置１００が前記傾動アクチュエータ２８０の作動制御を行う。
なお、図５中の符号１８０ａは、前記傾動操作部材１８０の操作位置を検出するセンサであり、符号２０２ａは、前記作業機２００の傾きを検出する傾きセンサである。
【００９５】
さらに、本実施の形態に係る前記トラクタ１は、前記作業機２００の傾動に関し、傾き自動モードを有している。
前記傾き自動モードは、前記傾きセンサ２０２ａによって検出される前記作業装置２００の左右方向の傾きが傾き設定ダイヤル１８６で設定された傾きとなるように、前記傾動用アクチュエータ２８０の作動制御を行う制御モードである。
【００９６】
前記傾き自動モードは、入切操作可能な傾き自動スイッチ１８５（図５参照）への人為操作に応じて、前記制御装置１００によって起動状態及び解除状態が切り換えられる。
図５中の符号１８５ａは、前記傾き自動スイッチ１８５の操作状態を検出するセンサであり、符号１８６ａは、前記傾き設定ダイヤル１８６の操作状態を検出するセンサである。
【００９７】
前記トラクタ１は、さらに、液晶表示部を有する表示装置を備えている。
図３及び図５に示すように、本実施の形態においては、前記トラクタ１は、前記表示装置として、前記運転席１５の前方に配設されたメーターパネル４００と、前記運転席１５の側方に配設されたサブディスプレイ４５０とを備えている。
【００９８】
前記メーターパネル４００は、例えば、前記エンジン５０の回転数を表示するタコメータと、前記トラクタ１に備えられる種々の制御モードの起動有無を表示する複数の表示ランプと、前記液晶表示部として作用する液晶ディスプレイ部とを有し得る。
前記サブディスプレイ４５０は、前記液晶表示部として作用する液晶ディスプレイ部を有し得る。
【００９９】
ここで、本実施の形態に係る前記トラクタ１に備えられた燃費情報表示機能について説明する。
【０１００】
本実施の形態においては、前記制御装置１００は、所定タイミング毎に瞬間燃料消費率（L/ｈ）を入力するようになっている。
【０１０１】
詳しくは、図５に示すように、前記トラクタ１には、前記燃料噴射装置４０の作動状態（燃料噴射量）を検出するセンサ４０ａが備えられており、前記エンジンコントローラ１０２は、前記センサ４０ａ及び前記作動側エンジン回転数センサ５０ａに基づき、所定タイミング毎に瞬間燃料消費率を算出するようになっている。
そして、前記エンジンコントローラ１０２によって算出された瞬間燃料消費率は、ＣＡＮ通信バス１０５を介して前記メインコントローラ１０１へ送信される。
【０１０２】
前記メインコントローラ１０１は、平均燃費算出モード起動中において読み込まれた燃料消費率に基づいて平均燃費を算出し、前記平均燃費を前記液晶表示部に表示するように構成されている。
【０１０３】
平均燃費算出モードは、例えば、操作部材６００（図５参照）への人為操作に応じて起動及び起動解除される。
なお、図５における符号６００ａは前記操作部材６００の操作状態を検出するセンサである。
【０１０４】
そして、前記メインコントローラ１０１は、平均燃費算出モード起動中において読み込まれた燃料消費率の合算値又は前記平均燃費の少なくとも一方と読み込み回数とを燃費情報として前記トラクタ１が主電源オフ状態とされても失われず且つ書き換え可能とされた記憶領域に記憶しており、既に記憶されている前記燃費情報と新たに読み込まれた燃料消費率とに基づき最新状態の平均燃費を算出して更新記憶すると共に、所定のリセット操作に応じて前記記憶領域に記憶された燃費情報をリセットするように構成されている。
【０１０５】
斯かる構成を備えた前記トラクタ１によれば、操縦者が知りたい走行状態の正確な燃費情報を提供することができる。
【０１０６】
即ち、トラクタは、路上走行等の非作業走行状態と作業機による作業を行いつつ走行を行う作業走行状態とを有している。
さらに、前記作業走行状態には、作業機の種類や作業形態によって、種々の走行状態が存在する。
【０１０７】
従って、例えば、一定時間毎に読み込まれる燃料消費率の全てに基づき平均燃費を算出すると、算出される平均燃費には非作業走行状態時の燃料消費率及び作業走行状態時の燃料消費率の双方が混在することになる。
【０１０８】
ここで、作業走行状態時と非作業走行状態時とでは、当然に、適正な燃費が異なるから、非作業走行状態時の燃料消費率及び作業走行状態時の燃料消費率の双方が混在されたデータに基づく平均燃費は、操縦者にとって、有益なものとは言えない。
【０１０９】
これに対し、本実施の形態に係る前記トラクタ１においては、前述の通り、前記制御装置１００は、平均燃費算出モード起動中において読み込まれる燃料消費率のみに基づいて平均燃費を算出するように構成されている。
【０１１０】
従って、操縦者は、平均燃費の算出に使用したい走行状態の時だけ平均燃費算出モードを起動させれば、知りたい走行状態時に読み込まれる燃料消費率だけに基づいた平均燃費を得ることができる。
【０１１１】
例えば、一の作業状態（例えば、耕耘作業）時の燃費を知りたい場合には、一の作業を開始する際に平均燃費算出モードを起動させ、当該一の作業を終了させる際に平均燃費算出モードを解除させることができる。
そして、当該一の作業を再開させる場合には、平均燃費算出モードを起動させることにより、知りたい一の作業状態の有益な燃費情報を得ることができる。
【０１１２】
また、他の作業状態（例えば、牽引作業）や非作業状態の燃費を知りたい場合には、リセット操作を行って記憶されている燃費情報を一旦リセットした後に、改めて平均燃費算出モードを起動させて所望走行状態で走行させることにより、所望走行状態の正確な燃費情報を得ることができる。
リセット操作は、リセット操作部材６１０（図５参照）への人為操作に基づき行うことができる。
なお、図５における符号６１０ａは前記リセット操作部材６１０の操作状態を検出するセンサである。
【０１１３】
前記液晶表示部への燃費情報の表示は種々の形態を有し得る。
図６に、前記サブディスプレイ４５０の液晶ディスプレイ部の表示画面の一例を示す。
図６に示す表示画面は、車速表示領域４５１、ＰＴＯ回転数表示領域４５２、エンジン負荷率表示領域４５３及びトラクタ積算使用時間表示領域４５４に加えて、平均燃費表示領域４５５を有している。
【０１１４】
なお、前記液晶表示部への燃費情報の表示は、表示切換操作部材４６０への人為操作に応じて行うことも可能であるし、前記表示切換操作部材４６０への操作に拘わらず、固定的に前記液晶表示部に燃費情報を表示させることも可能である。
【０１１５】
ここで、図７に示す制御フロー図に基づき燃料情報表示機能の制御フローについて説明する。
【０１１６】
キー部材（図示せず）による主電源オン操作に基づいて、前記制御装置１００には、一定時間毎に瞬間燃料消費率が入力される（ステップＳ１）。
【０１１７】
前記制御装置１００は、平均燃費制御モードが起動されているか否かに基づき、ステップＳ１で入力された瞬間燃料消費率を平均燃費を算出する際に用いるか否かを判断する（ステップＳ２）。
【０１１８】
即ち、平均燃費算出モードが起動されている場合にはステップＳ３へ移行し、起動されていない場合にはステップＳ２１へ移行する。
【０１１９】
好ましくは、前記制御装置１００は、ステップＳ１で入力された瞬間燃料消費率が有効なものとして取り扱って良いか否かを判断するように構成される（ステップＳ３）。
例えば、前記制御装置１００は、瞬間燃料消費率が所定値を越える異常値であるか否かを判断し、異常値である場合にはステップＳ２１へ移行する。
【０１２０】
ステップＳ３においてＹＥＳの場合、即ち、ステップＳ１で入力された瞬間燃料消費率が有効値である場合には、前記制御装置１００は、その時点で既に瞬間燃料消費率の合算値を記憶しているか否か、即ち、今回入力された瞬間燃料消費率が初回の入力値か否かを判断する（ステップＳ４）。
【０１２１】
ステップＳ４においてＹＥＳの場合、即ち、前記制御装置１００が既に以前に入力された一又は複数の瞬間燃料消費率の合算値（又は、前記合算値に基づき平均燃費）を記憶している場合には、前記制御装置１００は、リセット操作が無いこと（ステップＳ５がＹＥＳであること）を条件に、今回入力された瞬間燃料消費率を記憶されている合算値に加算すると共に（ステップＳ６）、読み込み回数を加算し（ステップＳ７）、これらに基づき平均燃費を算出する（ステップＳ８）。
【０１２２】
前記制御装置１００は、燃料消費率の合算値又は算出した平均燃費の少なくも一方と読み込み回数とを、前記トラクタ１が主電源オフ状態とされても失われず且つ書き換え可能とされた記憶領域に更新記憶する。
【０１２３】
なお、ステップＳ４の判断は、記憶されている読み込み回数が１以上であるか否かの判断に変更することも可能である。
【０１２４】
一方、ステップＳ４においてＮＯの場合、即ち、前記制御装置１００が瞬間燃料消費率の合算値（又は、前記合算値に基づき平均燃費）を記憶していない場合には、前記制御装置１００は、今回入力された瞬間燃料消費率を合算値として記憶し（ステップＳ１２）、読み込み回数のカウントを「１」とする（ステップＳ１３）。
【０１２５】
また、ステップＳ５においてＮＯの場合、即ち、リセット操作がなされた場合には、前記制御装置１００は、瞬間燃料消費率の合算値（又は、前記合算値に基づき平均燃費）及び読み込み回数の記憶値をリセットした上で（ステップＳ１１）、今回入力された瞬間燃料消費率を合算値として記憶し（ステップＳ１２）、読み込み回数のカウントを「１」とする（ステップＳ１３）。
【０１２６】
図７に示す制御フローにおいては、前記制御装置１００は、表示切換操作部材４６０への操作に応じて前記液晶表示部への平均燃費の表示を行う。
【０１２７】
具体的には、ステップＳ２１においてＹＥＳの場合、即ち、前記表示切換操作部材４６０による表示操作がなされた場合には、前記制御装置１００は、平均燃費を記憶していれば（ステップＳ２２においてＹＥＳの場合には）、その記憶されている平均燃費を前記液晶表示部に表示し（ステップＳ２３）、平均燃費を記憶していなければ（ステップＳ２２においてＮＯの場合には）、平均燃費を有してない旨の表示（例えば、ハイフン表示）を行う。
【０１２８】
なお、ステップＳ２１を省略することも可能である。
即ち、平均燃費の表示又は平均燃費を有していない旨の表示の何れかを、必ず前記液晶表示部に行うように構成することも可能である。
【０１２９】
好ましくは、前記制御装置１００は、所定走行条件を満たす場合には、平均燃費算出モードの起動有無に拘わらず、前記所定走行条件下において読み込まれる燃料消費率に基づき所定走行条件時平均燃費を算出し、平均燃費算出モード起動中に読み込まれた燃料消費率に基づく前記平均燃費に加えて、前記所定走行条件時平均燃費を前記液晶表示部に表示させることができる。
【０１３０】
例えば、前記制御装置１００は、前記副変速装置６３が所定の低速段係合状態で、前記作業機２００が所定高さ以下で且つ前記作業機２００の牽引負荷が所定値以上である第１条件を満たす場合には作業機牽引状態と判断し、平均燃費算出モードの起動有無に拘わらず、前記第１条件を満たす期間に読み込まれた燃料消費率に基づき作業機牽引時平均燃費を算出するように構成され得る。
【０１３１】
前記制御装置１００は、前記リフト角センサ２０１ａの検出信号に基づき、前記作業機２００が所定高さ以下か否かを判断し、前記トラクタ１に備えられるドラフトセンサ２１０（図５参照）の検出信号に基づき、前記作業機２００の牽引負荷が所定値以上であるか否かを判断する。
【０１３２】
また、前記制御装置１００は、前記ＰＴＯクラッチ装置８１が係合状態で且つ前記第１条件を満たさない場合にはＰＴＯ作業状態と判断し、平均燃費算出モードの起動有無に拘わらず、前記ＰＴＯ作業状態時に読み込まれた燃料消費率に基づきＰＴＯ作業機時平均燃費を算出するように構成され得る。
【０１３３】
前記制御装置１００は、前記ＰＴＯクラッチセンサ８１ａの検出信号に基づき、前記ＰＴＯクラッチ装置８１が係合状態か否かを判断する。
【０１３４】
そして、前記制御装置１００は、平均燃費算出モード起動中に読み込まれた燃料消費率に基づく前記平均燃費に加えて、前記作業機牽引時平均燃費及び前記ＰＴＯ作業時平均燃費を前記液晶表示部に表示するように構成される。
【０１３５】
なお、平均燃費算出モード起動中に読み込まれた燃料消費率に基づく前記平均燃費、前記作業機牽引時平均燃費及び前記ＰＴＯ作業時平均燃費の前記液晶表示部への表示は、前記表示切換操作部材４６０の操作に応じて選択的に行うことも可能であるし、同時に行うことも可能である。
【０１３６】
また、前記制御装置１００は、前記表示切換操作部材４６０への第１操作方法（例えば、短時間の押し操作）を前記液晶表示部の切換操作と判断し、前記表示切換操作部材４６０への第１操作方法とは異なる第２操作方法（例えば、所定時間以上の長押し操作）を前記操作部材６００又は前記リセット操作部材６１０への操作と判断するように構成され得る。
【０１３７】
さらに、前記表示切換操作部材４６０を第１及び第２操作方法とは異なる第３操作方法（例えば、回転操作）によっても操作可能とし、前記表示切換操作部材４６０への第２操作方法での操作を前記操作部材６００及び前記リセット操作部材６１０の一方の操作と判断し、第３操作方法での操作を前記操作部材６００及び前記リセット操作部材６１０の他方の操作と判断するように、前記制御装置１００を構成することも可能である。
【０１３８】
この場合、対応する前記操作部材６００及び／又は前記リセット操作部材６１０は省略され得る。
【符号の説明】
【０１３９】
１          トラクタ
４０        燃料噴射装置
５０        エンジン
６１        ＨＳＴ（主変速装置）
６３        多段変速装置（副変速装置）
６３ａ      副変速センサ
８１        ＰＴＯクラッチ装置
８１ａ      ＰＴＯクラッチセンサ
９５        ＰＴＯ軸
１００      制御装置
１１０      エンジン回転数変更操作部材
１２０      主変速操作部材（走行系変速操作部材）
１６０      ＰＴＯ入切操作部材
１６５      ＰＴＯ変速操作部材
２００      作業機
２０１ａ    リフト角センサ
２１０      ドラフトセンサ
２７０      昇降アクチュエータ
３８０      リンク機構
４００      メーターパネル（表示装置）
４５０      サブディスプレイ（表示装置）
４６０      表示切替操作部材
６１０      リセット操作部材
【図１】
0006352156.tif 000002
【図２】
0006352156.tif 000003
【図３】
0006352156.tif 000004
【図４】
0006352156.tif 000005
【図５】
0006352156.tif 000006
【図６】
0006352156.tif 000007
【図７】
0006352156.tif 000008